(57)【特許請求の範囲】
【請求項１】
食器収納槽と、前記食器収納槽を外方より覆い外郭を構成する本体と、食器洗浄用の加圧水供給手段と、水を温水に変えるためのヒータと、前記食器収納槽内の洗浄水を機外に排出する排水ポンプとを有し、さらに食器の洗浄、水すすぎ、および温水すすぎの各行程を実行する制御装置を備え、前記ヒータを、伝熱性および密着性を高める充填剤を介して食器収納槽の外側に取り付け、ヒータカバーと食器収納槽間を連通する送風通路を有する食器洗い機において、前記ヒータを、ヒータとヒータカバーとの間が完全密閉されない状態に充填剤を介することなく、ヒータカバーによって被覆したことを特徴とする食器洗い機。
【請求項２】
食器収納槽と、前記食器収納槽を外方より覆い外郭を構成する本体と、食器洗浄用の加圧水供給手段と、水を温水に変え、かつ前記食器収納槽内の温度を上昇させるためのヒータと、前記食器収納槽内の洗浄水を機外に排出する排水ポンプとを有し、食器の洗浄、水すすぎ、温水すすぎ、および乾燥の各行程を実行する制御装置を備え、前記ヒータを、伝熱性および密着性を高める充填剤を介して食器収納槽の外側に取り付け、ヒータカバーと食器収納槽間を連通する送風通路を有する食器洗い機において、前記ヒータを、ヒータとヒータカバーとの間が完全密閉されない状態に充填剤を介することなく、ヒータカバーによって被覆したことを特徴とする食器洗い機。
【請求項３】
請求項１または２において、ヒータを食器収納槽のヒータ取付部に直付けした食器洗い機。
【請求項４】
請求項３において、食器収納槽のヒータ取付部にナットを溶接し、このナットにヒータを装着して、ヒータを装着したナットにボルトを挿通し、前記ボルトとナットによりヒータを食器収納槽のヒータ取付部に直付けした食器洗い機。
【請求項５】
請求項４において、ヒータとナット間に絶縁用ピースを介装した食器洗い機。
【請求項６】
請求項１〜５のいずれか１項において、ヒータの外周部に突起を設け、この突起を介してヒータとヒータカバーとを合わせて一体的に取り付けた食器洗い機。
【発明の詳細な説明】
【０００１】
【発明の属する技術分野】
本発明は食器洗い機に係り、さらに詳しくは、ヒータの取付構造に関する。
【０００２】
【従来の技術】
従来、食器洗い機におけるヒータの取付構造例としては、図６に示すように、食器収納槽３の外側に位置して、その背面に、湾曲したヒータ取付部３ｂを設け、ヒータ１２はヒータ取付用ピース２７を介して食器収納槽３に取り付けられていて、ヒータ１２とヒータ取付部３ｂとの間には、伝熱性および密着性を高めるために、例えばシリコン、その他の充填剤２６を充填したものがある。
【０００３】
図中、２５は、ヒータカバー１３の開口部に接続された送風通路で、送風通路２５は、ヒータ１２で温められた空気を食器収納槽３内に供給する。
【０００４】
２８はヒータカバー１３と食器収納槽３との間に設置した断熱材を示している。
【０００５】
なお、前記ヒータ１２およびヒータカバー１３は、食器収納槽３の外側に位置して、その底面に取り付ける場合もある。
【０００６】
【発明が解決しようとする課題】
ところで、前記した従来技術において、ヒータ１２はヒータ取付用ピース２７を介して取り付けられ、ヒータ１２を取り付けたヒータ取付用ピース２７の外側をヒータカバー１３で覆うようにしているため、万一ヒータ１２が異常過熱してヒータ１２とヒータ取付部３ｂとの間の充填剤２６から発煙した場合、ヒータカバー１３の開口部に接続された送風通路２５を通って食器収納槽３の内部に煙が侵入し、その後食器収納槽３の排気ダクトに連結されている排気口から煙が出て初めて食器洗い機にトラブルが生じていることを知るというように、食器洗い機のトラブル発見までに時間がかかり、被害が大きくなる。
【０００７】
本発明の主たる目的は、万一ヒータが異常過熱してヒータとヒータ取付部との間の充填剤から発煙した場合に、そのトラブル発生を従来よりも早期に発見し、被害をでき得る限り小さく止どめることのできる食器洗い機を提供することにある。
【０００８】
なお、前記主たる目的以外に、本発明によって奏される他の効果は、下記実施例とともに説明する。
【０００９】
【課題を解決するための手段】
そして、前記主たる目的は、ヒータの伝熱性および密着性を高める充填剤を介して当該ヒータを食器収納槽の外側に取り付け、ヒータカバーと食器収納槽間を連通する送風通路を有する食器洗い機において、前記ヒータを、ヒータとヒータカバーとの間が完全密閉されない状態に充填剤を介することなく、ヒータカバーにより被覆することによって達成される。
【００１０】
【発明の実施の形態】
以下、本発明を、図面にもとづいて説明すると、図１は食器洗い機の全体的外観形状を示す斜視図、図２は、図１に示す食器洗い機の内部構造を示す縦断側面図、図３は、図２と異なる部分を切断した図１に示す食器洗い機の縦断側面図、図４は、本発明の一実施例を示す要部（食器洗い機用ヒータ取付部）の一部縦断側面図、図５は図４のＡ部詳細図である。
【００１１】
図１〜図３において、符号１は食器洗い機を総称しており、食器洗い機１は、箱型の外枠２を有している。外枠２内には、食器収納槽３が配置されており、その前面開口部にドア４が設けられている。食器収納槽３の側壁下部には、段部３ａが設けられており、この段部３ａに、食器収納用下かご５が着脱自在に配置されている。
【００１２】
食器収納槽３の側壁上部には、前後に可動するレール６が取付られており、レール６に食器収納用上かご７をはめ込むことにより、この食器収納用上かご７を自由に出し入れすることができる。
【００１３】
食器収納槽３の下方には、図２に示すように、給水ポンプ８が配置されており、給水ポンプ８は、ポンプモータ９を有している。食器収納用下かご５の真下には、中央部を支点として回転する下アームノズル１０が配置されており、下アームノズル１０の上面には、複数個の小孔１０ａが設けられている。食器収納用下かご５には、給水ポンプ８によって給水された洗浄水を上アームノズル１１に送るベンチエリー管１１ｂが配置されている。そして、食器収納用上かご７の真下には、これまた中央部を支点として回転する上アームノズル１１が配置されており、上アームノズル１１の上面には、複数個の小孔１１ａが設けられている。
【００１４】
食器収納槽３の背面には、図３に示すように、ヒータ１２を包むようにヒータカバー１３が配置されている。食器収納槽３の背面には、前記ヒータ１２以外に、給水電磁弁１４が配置されている。
【００１５】
食器収納槽３の上方には、排気ダクト１５が配置されており、排気ダクト１５は排気口１６に連結されている。ドア４の上方には、コントロールパネル１７が配置されている。
【００１６】
食器収納槽３の下方には、前記給水ポンプ８以外に、さらに、図２に示す排水ポンプ１８が配置されている。
【００１７】
ここで、前記構成よりなる食器洗い機１の洗浄、水すすぎ、温水すすぎ、乾燥動作について説明する。
【００１８】
まず、洗浄動作は、給水電磁弁１４に通電し、食器収納槽３に洗浄水を給水して、ヒータ１２に通電した状態でポンプモータ９に通電し、洗浄用ランナー２０を回転させて、食器収納槽３の底部に配置されている水溜め部２１より水を吸い込み、ポンプ吐出口２２より下アームノズル１０内、およびベンチエリー管１１ｂに圧力を供給し、ベンチエリー管１１ｂから上アームノズル１１内に供給する。そして、下アームノズル１０の小孔１０ａから食器収納用下かご５内の食器に圧力水を直接噴射し、また上アームノズル１１の小孔１１ａから食器収納用上かご７内の食器に圧力水を直接噴射することにより、これらに付着している汚れを剥離・分散させる。なお、このとき、下アームノズル１０および上アームノズル１１からの圧力水を食器収納槽３内の全域にわたって噴射する。一定時間洗浄が行なわれたならば、ポンプモータ９およびヒータ１２の通電を停止して洗浄動作を終了させ、排水ポンプ１８に通電して、食器収納槽３内の洗浄水を機外に排出させる。
【００１９】
次に、すすぎ動作は、前記洗浄動作と同じ動作を数回繰り返して行う。なお、このとき、ヒータ１２への通電は、温水すすぎ動作のみ行われ、他のすすぎ動作時には行われない。
【００２０】
最後に、乾燥動作は送風ユニット１９に通電して送風ファン２３を回転させ、食器収納槽３の下方に配置されている送風ダクト２４、ヒータ１２、送風通路２５を介して食器収納槽３内に送風する。なお、このとき、ヒータ１２は、一定時間通電をＯＮ、ＯＦＦして冷風を温風に変えており、この温風により、食器収納槽３内に付着している水滴、および残水、さらには食器収納用下かご５や食器収納用上かご７内に収納されている食器に付着の水滴を蒸気に変え、排気ダクト１５、排気口１６を介して機外に排出する。
【００２１】
そして、一定時間乾燥動作が行われたならば、食器洗い機１の運転が終了する。
【００２２】
ところで、先に説明した従来形食器洗い機においては、既述のごとく、図６に示すヒータ１２がヒータ取付用ピース２７を介して取り付けられ、ヒータ１２を取り付けたヒータ取付用ピース２７の外側をヒータカバー１３で覆うようにしているため、万一ヒータ１２が異常過熱してヒータ１２とヒータ取付部３ｂとの間の充填剤２６から発煙した場合、ヒータカバー１３の開口部に接続された送風通路２５を通って食器収納槽３の内部に煙が侵入し、その後食器収納槽３の排気ダクトに連結されている排気口から煙が出て初めて食器洗い機にトラブルが生じていることを知るというように、食器洗い機のトラブル発見までに時間がかかり、被害が大きくなる。
【００２３】
これに対し、本発明によれば、図４に示すごとく、ヒータ１２を、充填剤２６を除いてヒータカバー１３によって被覆する、つまりヒータ１２とヒータカバー１３との間が完全密閉されない状態に充填剤２６を介することなく、ヒータカバー１３によって被覆することにより、万一ヒータ１２が異常過熱してヒータ１２とヒータ取付部３ｂとの間の充填剤２６から発煙した場合、この煙は食器収納槽３の外側とヒータカバー１３との間の隙間を通って食器洗い機を構成する各部材から漏れ出し、発煙後直ちに視覚的、嗅覚的に認識されるものであって、従来のように食器収納槽３の排気ダクトに連結されている排気口から煙が出て初めて食器洗い機にトラブルが生じていることを知るというように、食器洗い機のトラブル発見までに時間がかかり、被害が大きくなる不具合をなくし、トラブル発生を従来よりも早期に発見し、被害をでき得る限り小さく止どめることができる。
【００２４】
なお、図示実施例においては、食器収納槽３のヒータ取付部３ｂにナット２９を溶接し、このナット２９にヒータ１２を装着して、ヒータ１２を装着したナット２９にボルト３１を挿通し、前記ボルト３１とナット２９によりヒータ１２を食器収納槽３のヒータ取付部３ｂに直付けしたものであって、このようにヒータ１２を食器収納槽３のヒータ取付部３ｂに直付けすることにより、ヒータ１２と食器収納槽３のヒータ取付部３ｂとの密着性が高まり、充填剤２６の塗布厚を少量で済ませることができ、経済的である。
【００２５】
また、図示実施例に示すごとく、ヒータ１２とナット２９間に絶縁用ピース３０（３０ａ，３０ｂ）を介装すれば、ヒータ１２と食器収納槽３とは絶縁構造となり、ヒータ１２が短絡した時においても感電する恐れはなくなる。
【００２６】
さらに、ヒータ１２の外周部に突起１２ａを設け、この突起１２ａを介してヒータ１２とヒータカバー１３とを合わせて一体的に取り付けることにより、図６に示す従来例のようにヒータ取付用ピース２７や断熱材２８を必要とすることなく、部品点数の削減が図れ、コスト的にも安価な食器洗い機を得ることができる。
【００２７】
【発明の効果】
以上本発明によれば、ヒータの伝熱性および密着性を高める充填剤を介して当該ヒータを食器収納の外側に取り付け、ヒータカバーと食器収納槽間を連通する送風通路を有する食器洗い機において、前記ヒータを、前記充填剤を除いてヒータカバーによって被覆する、つまりヒータとヒータカバーとの間が完全密閉されない状態に充填剤を介することなく、ヒータカバーによって被覆することにより、万一ヒータが異常過熱してヒータとヒータ取付部との間の充填剤から発煙した場合、この煙は食器収納槽の外側とヒータカバーとの間の隙間を通って食器洗い機を構成する各部材から漏れ出し、発煙後直ちに視覚的、嗅覚的に認識されるものであって、従来のように食器収納槽の排気ダクトに連結されている排気口から煙が出て初めて食器洗い機にトラブルが生じていることを知るというように、食器洗い機のトラブル発見までに時間がかかり、被害が大きくなる不具合をなくし、トラブル発生を従来よりも早期に発見し、被害をでき得る限り小さく止どめることができる。
【００２８】
また、図示実施例に示すごとく、ヒータを食器収納槽のヒータ取付部に直付けすることにより、ヒータと食器収納槽のヒータ取付部との密着性が高まり、充填剤の塗布厚を少量で済ませることができ、経済的である。
【００２９】
さらに、ヒータとナット間に絶縁用ピースを介装すれば、ヒータと食器収納槽とは絶縁構造となり、ヒータが短絡した時においても感電する恐れはなくなる。
【００３０】
またさらに、ヒータの外周部に突起を設け、この突起を介してヒータとヒータカバーとを合わせて一体的に取り付けることにより、図６に示す従来例のようにヒータ取付用ピースや断熱材を必要とすることなく、部品点数の削減が図れ、コスト的にも安価な食器洗い機を得ることができる。
【図面の簡単な説明】
【図１】食器洗い機の全体的外観形状を示す斜視図である。
【図２】図１に示す食器洗い機の内部構造を示す縦断側面図である。
【図３】図２と異なる部位を切断した図１に示す食器洗い機の縦断側面図である。
【図４】本発明の一実施例を示す要部（食器洗い機用ヒータ取付部）の一部縦断側面図である。
【図５】図４のＡ部詳細図である。
【図６】従来方式による食器洗い機用ヒータの取付構造例を示す一部縦断側面図である。
【符号の説明】
３…食器収納槽、１２…ヒータ、１２ａ…合わせ用突起、１３…ヒータカバー、２５…送風通路、２６…シリコン充填剤、２９…ナット、３０（３０ａ，３０ｂ）…絶縁用ピース、３１…ボルト。
【図１】
0003556791.tif 000002
【図２】
0003556791.tif 000003
【図３】
0003556791.tif 000004
【図４】
0003556791.tif 000005
【図５】
0003556791.tif 000006
【図６】
0003556791.tif 000007